(57)【要約】【課題】複写物に、適切にマークを付加することができる画像処理装置を提供する。【解決手段】複写機は、原稿を画像データとして読取る（Ｓ１０１）。画像データに管理文書であることを示す情報（管理文書コードなど）が付加されているかを判定する（Ｓ１０３）。ＹＥＳであれば、画像データに複製マークを埋め込み（Ｓ１０５）、その画像データを印刷する（Ｓ１０７）。ＮＯであれば、マークの埋め込みを行なわずに画像データを印刷する（Ｓ１０７）。【選択図】図４
2007251359.tif 000002
【特許請求の範囲】
【請求項１】
原稿を読取る読取手段と、
前記読取手段によって読取られた原稿の画像データ内の、管理文書であることを示す情報を検出する検出手段と、
前記検出手段によって管理文書であることを示す情報が検出された場合に、前記読取手段によって読取られた原稿の画像データに前記原稿の複写物であることを明示する可視情報を付加する付加手段とを備えた、画像処理装置。
【請求項２】
前記付加手段は、管理文書であることを示す情報が検出された場合に、前記読取手段によって読取られた原稿の画像データに複写を行った日時を示す情報を付加する、請求項１に記載の画像処理装置。
【請求項３】
ユーザを認識する認識手段をさらに備え、
前記付加手段は、管理文書であることを示す情報が検出された場合に、前記認識手段によって認識されたユーザの情報を付加する、請求項１または２に記載の画像処理装置。
【請求項４】
前記読取手段によって読取られた原稿の画像データ内から、複写原稿に付加する可視情報を付加する方法を示す情報を判別する判別手段をさらに備え、
前記付加手段は、前記判別手段の判別結果に応じた方法で可視情報を付加する、請求項１〜３のいずれかに記載の画像処理装置。
【請求項５】
前記読取手段によって読取られた原稿の画像データ内の、原稿の保存期間を示す情報を検出する保存期間検出手段と、
複写を行なおうとする日時が前記保存期間検出手段によって検出された保存期間内であることを判断する判断手段とをさらに備え、
前記付加手段は、前記判断手段によって保存期間内でないと判断された場合に、前記読取手段によって読取られた原稿の画像データに保存期間外であること示す可視情報を付加する、請求項１〜４のいずれかに記載の画像処理装置。
【請求項６】
原稿を読取る読取ステップと、
前記読取ステップによって読取られた原稿の画像データ内の、管理文書であることを示す情報を検出する検出ステップと、
前記検出ステップによって管理文書であることを示す情報が検出された場合に、前記読取ステップによって読取られた原稿の画像データに前記原稿の複写物であることを明示する可視情報を付加する付加ステップとを備えた、画像処理方法。
【請求項７】
原稿を読取る読取ステップと、
前記読取ステップによって読取られた原稿の画像データ内の、管理文書であることを示す情報を検出する検出ステップと、
前記検出ステップによって管理文書であることを示す情報が検出された場合に、前記読取ステップによって読取られた原稿の画像データに前記原稿の複写物であることを明示する可視情報を付加する付加ステップとをコンピュータに実行させる、画像処理プログラム。
【発明の詳細な説明】
【技術分野】
【０００１】
この発明は、画像処理装置、画像処理方法、および画像処理プログラムに関し、特に原稿の管理を行なうことができる画像処理装置、画像処理方法、および画像処理プログラムに関する。
【背景技術】
【０００２】
ＭＦＰ（Multi Function Peripheral）などの画像形成装置の分野において、複製文書に複製であること示すため、ユーザーの操作パネル等からの操作により、複製マーク等のテンプレートと合成を行った複製物を作成する技術が知られている。
【０００３】
このような技術に関連して、下記特許文献１は、原稿から読取禁止パターンが検出されるとプリント禁止情報を付加、または画像データを消去することを開示している。
【特許文献１】特開平１１−３５５５６４号公報
【発明の開示】
【発明が解決しようとする課題】
【０００４】
ＩＳＯ（International Organization for Standardization）などにおける文書管理において、原本から複製を行った場合には、複製文書を原本と区別する為に、複製文書に複製マークを付加する場合がある。
【０００５】
複製マークの付加は、ユーザーが複製の都度行なわなければならないため、煩わしく、またユーザが複製マークを付加し忘れることがあった。
【０００６】
この発明は上記問題点を解決するためになされたものであり、適切に可視情報を付加することができる画像処理装置、画像処理方法、および画像処理プログラムを提供することを目的としている。
【課題を解決するための手段】
【０００７】
上記目的を達成するためこの発明のある局面に従うと、画像処理装置は、原稿を読取る読取手段と、読取手段によって読取られた原稿の画像データ内の、管理文書であることを示す情報を検出する検出手段と、検出手段によって管理文書であることを示す情報が検出された場合に、読取手段によって読取られた原稿の画像データに原稿の複写物であることを明示する可視情報を付加する付加手段とを備える。
【０００８】
好ましくは付加手段は、管理文書であることを示す情報が検出された場合に、読取手段によって読取られた原稿の画像データに複写を行った日時を示す情報を付加する。
【０００９】
好ましくは画像処理装置は、ユーザを認識する認識手段をさらに備え、付加手段は、管理文書であることを示す情報が検出された場合に、認識手段によって認識されたユーザの情報を付加する。
【００１０】
好ましくは画像処理装置は、読取手段によって読取られた原稿の画像データ内から、複写原稿に付加する可視情報を付加する情報を判別する判別手段をさらに備え、付加手段は、判別手段の判別結果に応じた方法で可視情報を付加する。
【００１１】
好ましくは画像処理装置は、読取手段によって読取られた原稿の画像データ内の、原稿の保存期間を示す情報を検出する保存期間検出手段と、複写を行なおうとする日時が保存期間検出手段によって検出された保存期間内であることを判断する判断手段とをさらに備え、付加手段は、判断手段によって保存期間内でないと判断された場合に、読取手段によって読取られた原稿の画像データに保存期間外であること示す可視情報を付加する。
【００１２】
この発明のさらに他の局面に従うと画像処理方法は、原稿を読取る読取ステップと、読取ステップによって読取られた原稿の画像データ内の、管理文書であることを示す情報を検出する検出ステップと、検出ステップによって管理文書であることを示す情報が検出された場合に、読取ステップによって読取られた原稿の画像データに原稿の複写物であることを明示する可視情報を付加する付加ステップとを備える。
【００１３】
この発明のさらに他の局面に従うと画像処理プログラムは、原稿を読取る読取ステップと、読取ステップによって読取られた原稿の画像データ内の、管理文書であることを示す情報を検出する検出ステップと、検出ステップによって管理文書であることを示す情報が検出された場合に、読取ステップによって読取られた原稿の画像データに原稿の複写物であることを明示する可視情報を付加する付加ステップとをコンピュータに実行させる。
【発明の効果】
【００１４】
これらの発明に従うと、読取られた原稿の画像データ内の、管理文書であることを示す情報が検出された場合に、画像データに複写物であることを明示する可視情報を付加することができる。
【００１５】
または、読取られた原稿の画像データ内の原稿の保存期間を示す情報が検出され、複写を行なおうとする日時が検出された保存期間内でないと判断された場合に、画像データに保存期間外であること示す可視情報を付加することができる。
【００１６】
これにより、適切に可視情報を付加することができる画像処理装置、画像処理方法、および画像処理プログラムを提供することができる。
【発明を実施するための最良の形態】
【００１７】
［第１の実施の形態］
図１は、本発明の第１の実施の形態における画像処理装置を含んだデジタル複写機（ＭＦＰ）の全体構成を示す図である。
【００１８】
図を参照して、複写機１は原稿を読取って画像信号に変換するための走査系１０、走査系１０から送られる画像信号を処理するための画像信号処理部２０、画像信号処理部２０から送信された画像データを記憶し、印字処理部４０に対して送信するためのメモリユニット部３０、メモリユニット部３０から送信された画像データに基づいて半導体レーザ６１を駆動するための印字処理部４０、半導体レーザ６１からのレーザ光を感光体ドラム７１上の露光位置に導くためのレーザ光学系６０、レーザ光によって感光体ドラム７１上に形成された潜像を現像し、記録紙上に画像を形成する作像系７０、複写機１の上面に設けられた不図示の操作パネル、および原稿を読取部２へ搬送し、読取完了後の原稿を読取位置から排出し必要に応じて表裏の反転を行なう原稿搬送部５００を含む。
【００１９】
なお、読取部２は、走査系１０および画像信号処理部２０を含み、プリント部３は印字処理部４０、レーザ光学系６０、および作像系７０を含む。
【００２０】
読取部２は、原稿ガラス１９上に読取面が下向きに載置された原稿の画像を読取り、その原稿の画像の各画素に対応する画像データを生成する。露光ランプ１２および第１ミラー１３ａを含む第１スキャナ１１と第２ミラー１３ｂおよび第３ミラー１３ｃを含む第２スキャナ１４とは、スキャンモータ１８の駆動により矢印ｂ，ｂ′方向（副走査方向）に移動される。露光ランプ１２の光は原稿ガラス１９上の原稿によって反射され、ミラー１３ａ，１３ｂ，１３ｃ、および集光レンズ１５を介してラインセンサ１６に照射される。ラインセンサ１６は、図１の紙面に直交する方向（主走査方向）に多数の光電変換素子をライン上に配置したものであり、たとえば、４００ｄｐｉで画像を読取り、各画素に対応する画像データを出力する。また、上述したように第１スキャナ１１と第２スキャナ１４とが矢印ｂ，ｂ′方向に移動することにより、ラインセンサ１６は原稿の画像を副走査することができる。センサ１７は、第１スキャナ１１がホームポジションにあることを検出するためのものである。
【００２１】
ラインセンサ１６から出力された画像データは、画像信号処理部２０で処理された後、メモリユニット部３０へ送信される。メモリユニット部３０は、画像信号処理部２０から受信した画像データを圧縮して一旦記憶した後、プリントの際に圧縮された画像データに対して伸長処理を行なってプリント部３へ送信する。その際、必要に応じて回転編集処理等が施される。
【００２２】
プリント部３内の印字処理部４０は、メモリユニット部３０から受信した画像データに基づいてレーザ光学系６０を制御する。レーザ光学系６０は、印字処理部４０によって変調（オン／オフ）制御されるレーザビームを放射する半導体レーザ６１と、半導体レーザ６１から放射されたレーザビームを反射して感光体ドラム７１上を走査させるためのポリゴンミラー６２、ｆθレンズ６３、ミラー６４ａおよび６４ｂを含む。
【００２３】
回転駆動される感光体ドラム７１の周辺には、その回転方向に沿って、感光体を帯電させるための帯電チャージャ７２、露光によって形成された潜像を現像するための現像器７３、画像を記録紙上に転写するための転写チャージャ７４、記録紙を感光体ドラム７１から分離するための分離チャージャ７５、感光体ドラム７１の残留トナーを除去するためのクリーナ７６、および感光体の残留電位を除去するためのイレーサランプ７７が配置されており、周知の電子写真プロセスによってトナー画像を形成し、用紙上に転写する。用紙は、給紙カセット８１ａまたは８１ｂから給紙ローラ８２ａまたは８２ｂにより、用紙搬送通路８３およびタイミングローラ８４を介して転写チャージャ７４と感光体ドラム７１が対向する位置である転写位置へ搬送される。転写位置でトナー画像が転写された用紙は、搬送ベルト８５、定着器８６、排出ローラ８７を介して、排紙トレイ６２１上へ排出される。排出ローラ８７および感光体ドラム７１は、メインモータ７８によって駆動される。また、給紙カセット８１ａおよび８１ｂの近傍には、各カセットに収容されている用紙の残量を検出するための用紙残量検出センサ８９ａおよび８９ｂが設置されている。
【００２４】
原稿搬送部５００は、原稿給紙トレイ５１０上にセットされた原稿を自動的に原稿ガラス１９上の読取位置に搬送し、走査系１０によって原稿が画像信号に変換された後、原稿を読取位置から原稿排紙部５１１に排出する。
【００２５】
通常は、１枚または複数枚の原稿を、読取るべき面を上に向けて原稿給紙トレイ５１０にセットし、サイド規制板を原稿の幅に合わせる。そして、セットされた原稿の最下部の原稿から順に給紙ローラ５０１によって搬送され、捌きローラ５０２と捌きパッド５０３とによって捌かれながら、１枚ずつ読取位置へ搬送される。搬送された原稿は中間ローラ５０４を通り、レジストセンサ５１２および幅サイズセンサ５１３により原稿が検出された後、レジストローラ５０５によって斜行が補正される。原稿の後端が原稿スケール５２１の左端を通過した直後に、原稿搬送ベルト５０６はわずかに逆転して停止する。
【００２６】
これにより、原稿の右端は原稿スケール５２１の端縁に当接し、原稿は原稿ガラス１９上の読取位置に設置される。このとき、次の原稿の先端はレジストローラ５０５に達しており、次の原稿の搬送時間を短縮するようになっている。
【００２７】
原稿が原稿ガラス１９上の読取位置に設置されると、走査系１０による原稿の読取走査が行なわれる。原稿の読取が終了すると、原稿が原稿搬送ベルト５０６により左方に搬送され、反転ローラ５０７で搬送方向が変更され、切換爪５０８の上方を通過して排紙トレイ５１１上に排出される。
【００２８】
また、両面原稿の場合は、第１面の読取動作が終了するとその原稿は一旦原稿搬送ベルト５０６により左方に搬送され、反転ローラ５０７で原稿の向きを一旦反転した後、再び原稿が原稿ガラス１９上に送り出されるように切換爪５０８の左端部が上方へ移動し、原稿搬送ベルト５０６が反転することにより原稿の第２面（裏面）が読取位置に設定される。第２面の読取が終了した原稿は、原稿搬送ベルト５０６により左方に搬送され、反転ローラ５０７、切換爪５０８、および排出ローラ５０９を経て排紙トレイ５１１上に排出される。
【００２９】
再給紙ユニット６００は、両面コピーを自動化するための付加装置としてプリント部３の側面に設置されており、排出ローラ８７により複写機１本体から排出された用紙を一旦収納し、スイッチバック搬送を行なってプリント部３に送り返す機能を有している。
【００３０】
片面コピーモードにおいては、用紙は再給紙ユニット６００を素通りして排紙トレイ６２１上に排出される。これに対して、両面コピーモードにおいては、図示しないソレノイドによって切換爪６０１の左端部が上方へ移動し、排出ローラ８７から排出された用紙は、搬送ローラ６０２を通って正反転ローラ６０３に到達する。用紙後端が用紙センサ６０４に到達すると、正反転ローラ６０３が反転を開始する。これによって、用紙は、プリント部３へ戻される。戻された用紙は、水平搬送ローラ８８ａ，８８ｂ、および８８ｃを通ってタイミングローラ８４へ搬送されて待機する。ここで、複数枚の用紙が連続給紙された場合は、各用紙が互いに重ならないような所定の用紙間隔を設けて、次々に搬送されて再給紙ユニット６００に送り込まれる。用紙の搬送経路長は一定であるので、再給紙ユニット６００および水平搬送ローラ８８ａ〜８８ｃによる１循環の用紙枚数（最多循環枚数）は、用紙サイズに依存することになる。
【００３１】
また、複写機１にはネットワーク接続部９０が設けられ、これによりネットワークとの間で情報の授受を行なうことが可能である。
【００３２】
図２は、画像データにセキュリティ情報を埋め込んでプリントを行なう複写機１の動作を説明するための図である。
【００３３】
図を参照して、画像データＤ１に対してそれが「管理原本」であることを示すセキュリティ情報（管理文書コード）を埋め込む例を説明する。
【００３４】
ステップＳ２０１において、「管理原本」という情報を埋め込むよう設定すると、ステップＳ２０３において、「管理原本」の文字列をコード化する。ステップＳ２０５においてコード化された情報を地紋パターンに変換する。ステップＳ２０７において、画像データＤ１にセキュリティ情報としての地紋パターンが合成される。合成された画像データがステップＳ２０９においてプリントされることにより、プリント物Ｄ２が得られる。
【００３５】
プリント物Ｄ２には、地紋パターンとして人間の目には判らない管理文書コードが埋め込まれることとなる。
【００３６】
図３は、図１の複写機１に含まれる原稿へのマーク埋め込み部の構成を示す図である。
図を参照して複写機１は、装置の全体を制御するＣＰＵ２０７と、ユーザに対し情報を表示し、かつユーザからの入力を受付ける操作パネル２０９と、図２のような処理によりプリントされた原稿Ｄ２をスキャンすることにより、画像データを取り込む画像読取部２１１（図１の読取部２に対応）と、画像データに埋め込まれたコードを検出するコード検出部２１３と、コードの検出結果に基づいて画像データにマーク（可視情報の一種であり、文字、図形、文章などでもよい）を埋め込むマーク埋め込み部２１５と、画像を印刷する画像印字部２１７（図１のプリント部３に対応）とを備えている。
【００３７】
画像印字部２１７の動作により、原稿Ｄ２の複製原稿（出力物）Ｄ３が得られる。
図４は、複写機１に含まれる原稿へのマーク埋め込み部が実行する処理を示すフローチャートである。
【００３８】
図を参照して、ステップＳ１０１において原稿Ｄ２を画像データとして読取る。ステップＳ１０３において、画像データに管理文書であることを示す情報（管理文書コードなど）が付加されているかを判定する。ＹＥＳであれば、ステップＳ１０５において画像データに複製マークを埋め込み、ステップＳ１０７でその画像データを印刷する。
【００３９】
また、ステップＳ１０３でＮＯであれば、マークの埋め込みを行なわずにステップＳ１０７で画像データを印刷する。
【００４０】
すなわち複写機１は、原稿に埋め込まれたセキュリティ情報を読取り、読取られた情報に基づいて複写動作を変更する。管理文書の原本を複製した場合に複製文書であることを明示する必要があるときには、図２の処理により、管理文書であることを示す情報を付加した管理文書の原本（プリント物Ｄ２）を作成しておく。この原本が図４の処理によりコピーされた場合には、自動で複製物であることを示すマーク（複製マーク）を印字する。
【００４１】
図５は、管理文書コードが埋め込まれた原稿Ｄ２を図４のフローチャートに従って複写した状態を示す図である。
【００４２】
図に示すように、ここでは複写物Ｄ３には大きく、肉眼で見ることができるウォーターマークとしての「複写」の文字が合成されてプリントされる。
【００４３】
たとえばＩＳＯなどにおける文書管理の方法として、原本一部のみを管理し、配布等を行う為に複製を作成する場合がある。このような場合において、管理された原本でないことを明示するために、複製原稿には複製物であることを示す複製マークを付加しなければならないときがある。
【００４４】
これまでは、複製を行ったあとでユーザが複製原稿に複製であることを示すスタンプを押したり、複写機の機能等を使用して、操作パネル等により複製マークを合成した複製原稿を作成するように指示した後、コピーを行ない複製原稿を作成することが行なわれていた。
【００４５】
このような方法を採用すると、複製の都度、ユーザの手作業を伴なう為、複製マークを付加し忘れることがある。これにより、複製マークが無い複製物が配布されることがあった。また、ユーザの作業自体に煩わしさがあった。
【００４６】
本実施の形態によると、図２に示される機構により、特定の情報をコード化し情報を埋め込んだプリント画像を作成し、それをプリントすることができる。これにより、管理文書であることを示す情報を持った管理原本を作成することができる。また管理原本を複製する場合には、図４の手法を用いて自動的に複製マークを埋め込むことができる。
【００４７】
［第２の実施の形態］
図６は、第２の実施の形態における複写機が実行する処理を示す図であり、図５に対応する図である。
【００４８】
図を参照して本実施の形態によると、管理文書コードが埋め込まれた原稿Ｄ２−１が複写されるときには、ステップＳ１０５ａにおいてそのときの日付が取得される。これにより、複製した日付を付加した複製原稿Ｄ３−１が作成される。
【００４９】
管理文書のコピー物には自動で複製日を付加するように複写機等に設定を行なってもよい。また、原稿に日付を付加する条件としての指示情報を埋め込んでおいてもよい。この場合、原稿に指示情報が埋め込まれていたときにのみ、図６のように日付けが付加される。
【００５０】
［第３の実施の形態］
図７は、第３の実施の形態における複写機が実行する処理を示す図であり、図５に対応する図である。
【００５１】
図を参照して本実施の形態によると、管理文書コードが埋め込まれた原稿Ｄ２−２が複写されるときには、ステップＳ１０５ｂにおいて、複写を行なう者のユーザコードが取得される。これにより、複製した人の情報を付加した複製原稿Ｄ３−２が作成される。
【００５２】
ユーザコードの取得は、図３の操作パネル２０９から入力する構成を採用しても良いし、ＩＤカードのスキャンなどによるユーザ認識により、複写機を操作するユーザ個人を認識することでユーザコードを得る構成を採用しても良い。
【００５３】
［第４の実施の形態］
図８は、第４の実施の形態における複写機が実行する処理を示す図であり、図５に対応する図である。
【００５４】
図を参照して本実施の形態によると、管理文書コードが埋め込まれた原稿Ｄ２−３が複写されるときには、ステップＳ１０５ｃにおいて、文書管理コードの内容に基づいて合成する複製マークの種類の判別が行なわれる。ここでは種類１が指定された場合には、背景に大きく複製マークを入れる方法により複写物Ｄ３−３ａが作成される。また、種類２が指定された場合には、スタンプのようなマークを入れる方法により複写物Ｄ３−３ｂが作成される。
【００５５】
このように本実施の形態によると、複製マークの付加方法を示す情報を付加して原本を作成し、その付加情報に基づいて、複製原稿へのマーク付加方法を自動で切替えることが可能となる。
【００５６】
また、付加方法はユーザの選択により切替えるようにしても良い。
［第５の実施の形態］
図９は、第５の実施の形態における複写機が実行する処理を示す図であり、図５に対応する図である。
【００５７】
図を参照して本実施の形態によると、管理文書コードが埋め込まれた原稿Ｄ２−４には、付加情報としてその文書の保存期間が記録される。原稿Ｄ２−４が複写されるときには、ステップＳ１０５ｄにおいて、付加情報から解析された文書の保存期間と、現在の日付けとの比較が行なわれる。現在の日付けが保存期間内である場合には、複製マークが合成された複写物Ｄ３−４ａが作成される。また、現在の日付けが保存期間を過ぎている場合には、保存期間外を示す文字（またはマークなど）が合成された複写物Ｄ３−４ｂが作成される。
【００５８】
文書管理の方法として、原本の保存期間を指定する場合があるが、このような場合には保存期間の日時が記載されているのみであるため、ユーザが気付かずに保存期間を過ぎた原本を複製してしまうことがある。
【００５９】
本実施の形態では、図２の様な方法で原本作成時に保存期間を情報として原本に埋め込むことで、複製原稿においてユーザに、原本が保存期間を過ぎているか否かを明示することが可能となる。
【００６０】
［実施の形態における効果］
以上のようにして上記実施の形態によると、原本のみを管理するような文書管理において、原本に原本であることを示す情報を付加し、このような情報の付加により複製した原稿には複製マークを自動で付加することが可能となる。
【００６１】
［その他］
なお、上述の実施の形態における処理は、ソフトウエアによって行なっても、ハードウエア回路を用いて行なってもよい。
【００６２】
また、上述の実施の形態における処理を実行するプログラムを提供することもできるし、そのプログラムをＣＤ−ＲＯＭ、フレキシブルディスク、ハードディスク、ＲＯＭ、ＲＡＭ、メモリカードなどの記録媒体に記録してユーザに提供することにしてもよい。また、プログラムはインターネットなどの通信回線を介して、装置にダウンロードするようにしてもよい。
【００６３】
このように、今回開示した上記各実施の形態はすべての点で例示であって、制限的なものではない。本発明の技術的範囲は特許請求の範囲によって画定され、また特許請求の範囲の記載と均等の意味および範囲内でのすべての変更を含むものである。
【図面の簡単な説明】
【００６４】
【図１】本発明の第１の実施の形態における画像処理装置を含んだデジタル複写機（ＭＦＰ）の全体構成を示す図である。
【図２】画像データにセキュリティ情報を埋め込んでプリントを行なう複写機１の動作を説明するための図である。
【図３】図１の複写機１に含まれる原稿へのマーク埋め込み部の構成を示す図である。
【図４】複写機１に含まれる原稿へのマーク埋め込み部が実行する処理を示すフローチャートである。
【図５】図４のフローチャートに従って管理文書コードが埋め込まれた原稿Ｄ２を複写した状態を示す図である。
【図６】第２の実施の形態における複写機が実行する処理を示す図であり、図５に対応する図である。
【図７】第３の実施の形態における複写機が実行する処理を示す図であり、図５に対応する図である。
【図８】第４の実施の形態における複写機が実行する処理を示す図であり、図５に対応する図である。
【図９】第５の実施の形態における複写機が実行する処理を示す図であり、図５に対応する図である。
【符号の説明】
【００６５】
２１１  画像読取部、２１３  コード検出部、２１５  マーク埋め込み部、２１７  画像印字部、Ｄ１  画像データ、Ｄ２  プリント物、Ｄ３  複製原稿。
【図１】
2007251359.tif 000003
【図２】
2007251359.tif 000004
【図３】
2007251359.tif 000005
【図４】
2007251359.tif 000006
【図５】
2007251359.tif 000007
【図６】
2007251359.tif 000008
【図７】
2007251359.tif 000009
【図８】
2007251359.tif 000010
【図９】
2007251359.tif 000011